(57)【要約】      （修正有）【課題】ワイヤ引抜抵抗力、タップ・ワイヤの固定保持力の強化を図り、圧縮性向上のための塑性変形容易なリンク部を備えたマルチ・タップ・コンプレッション・コネクタを提供する。【解決手段】互いに接続された第１セクションと第２セクションとを備えている。第１セクション及び第２セクションは、その各々が、ボディ部と端壁部とを有する。ボディ部からフック部と斜面画成突部とが延出してメイン・ワイヤ挿通ポートを画成している。ボディ部は端壁部に隣接した第１タップ・ワイヤ挿通ポートと第２タップ・ワイヤ挿通ポートとを備えている。第１タップ・ワイヤ挿通ポートと第２タップ・ワイヤ挿通ポートとの間に、斜めに延在する塑性変形容易なリンク部が画成されている。【選択図】図２
2010062154.tif 000002
【特許請求の範囲】
【請求項１】
ワイヤを固定するコンプレッション・コネクタにおいて、
第１ボディ部と第１端壁部とを有する第１セクションと、第２ボディ部と第２端壁部とを有する第２セクションとを備え、
前記第１ボディ部から第１フック部と第１斜面画成突部とが延出してメイン・ワイヤ挿通ポートを画成しており、前記第１ボディ部は前記第１端壁部に隣接した第１タップ・ワイヤ挿通ポートと第２タップ・ワイヤ挿通ポートとを備えており、前記第１タップ・ワイヤ挿通ポートと前記第２タップ・ワイヤ挿通ポートとの間に、斜めに延在する塑性変形容易な第１リンク部が画成されており、
前記第２ボディ部から第２フック部と第２斜面画成突部とが延出して第２メイン・ワイヤ挿通ポートを画成しており、前記第２ボディ部は前記第２端壁部に隣接した第３タップ・ワイヤ挿通ポートと第４タップ・ワイヤ挿通ポートとを備えており、前記第３タップ・ワイヤ挿通ポートと前記第４タップ・ワイヤ挿通ポートとの間に、斜めに延在する塑性変形容易な第２リンク部が画成されている、
ことを特徴とするコンプレッション・コネクタ。
【請求項２】
前記第１ボディ部と前記第２ボディ部とが、中央ボディ部によって接続されていることを特徴とする請求項１記載のコンプレッション・コネクタ。
【請求項３】
更に、該コンプレッション・コネクタの第１側において前記第１セクションと前記第２セクションとの間を延在するように形成された第１スロットと、該コンプレッション・コネクタの第２側において前記第１セクションと前記第２セクションとの間を延在するように形成された第２スロットとを備え、前記第１スロット及び前記第２スロットはカシメ作業の実行に先立ってワイヤを該コンプレッション・コネクタに締結して止着保持するケーブルタイを挿通するためのスロットであることを特徴とする請求項２記載のコンプレッション・コネクタ。
【請求項４】
前記第１タップ・ワイヤ挿通ポート、前記第２タップ・ワイヤ挿通ポート、前記第３タップ・ワイヤ挿通ポート、及び前記第４タップ・ワイヤ挿通ポートの各々の形状が涙滴形であることを特徴とする請求項１記載のコンプレッション・コネクタ。
【請求項５】
前記第１タップ・ワイヤ挿通ポート、前記第２タップ・ワイヤ挿通ポート、前記第３タップ・ワイヤ挿通ポート、及び前記第４タップ・ワイヤ挿通ポートが略々同じ大きさに形成されていることを特徴とする請求項１記載のコンプレッション・コネクタ。
【請求項６】
前記第１タップ・ワイヤ挿通ポートが前記第２タップ・ワイヤ挿通ポートより大きく形成され、前記第３タップ・ワイヤ挿通ポートが前記第４タップ・ワイヤ挿通ポートより大きく形成されていることを特徴とする請求項１記載のコンプレッション・コネクタ。
【請求項７】
前記第１タップ・ワイヤ挿通ポート内にタップ・ワイヤを保持する第１保持突片部と、前記第２タップ・ワイヤ挿通ポート内にタップ・ワイヤを保持する第２保持突片部とを備えていることを特徴とする請求項１記載のコンプレッション・コネクタ。
【請求項８】
前記第１保持突片部と前記第１斜面画成突部との間に形成された第１溝部と、前記第２保持突片部と前記第１フック部との間に形成された第２溝部とを備えていることを特徴とする請求項７記載のコンプレッション・コネクタ。
【請求項９】
前記第３タップ・ワイヤ挿通ポート内にタップ・ワイヤを保持する第３保持突片部と、前記第４タップ・ワイヤ挿通ポート内にタップ・ワイヤを保持する第４保持突片部とを備
えていることを特徴とする請求項７記載のコンプレッション・コネクタ。
【請求項１０】
前記第３保持突片部と前記第２斜面画成突部との間に形成された第３溝部と、前記第４保持突片部と前記第２フック部との間に形成された第４溝部とを備えていることを特徴とする請求項９記載のコンプレッション・コネクタ。
【請求項１１】
ワイヤを固定するコンプレッション・コネクタにおいて、
第１ボディ部と第２ボディ部とを備え、
前記第１ボディ部から第１フック部と第１斜面画成突部とが延出して第１メイン・ワイヤ挿通ポートを画成し、第２フック部と第２斜面画成突部とが延出して第２メイン・ワイヤ挿通ポートを画成しており、前記第１ボディ部は、互いに反対側に位置する第１側部タップ・ワイヤ挿通ポートと第２側部タップ・ワイヤ挿通ポートとを備えており、前記第１側部タップ・ワイヤ挿通ポートと前記第２側部タップ・ワイヤ挿通ポートとの間に、斜めに延在する塑性変形容易な第１変形容易領域部が画成されており、
前記第２ボディ部から第３フック部と第３斜面画成突部とが延出して第３メイン・ワイヤ挿通ポートを画成し、第４フック部と第４斜面画成突部とが延出して第４メイン・ワイヤ挿通ポートを画成しており、前記第２ボディ部は、互いに反対側に位置する第３側部タップ・ワイヤ挿通ポートと第４側部タップ・ワイヤ挿通ポートとを備えており、前記第３側部タップ・ワイヤ挿通ポートと前記第４側部タップ・ワイヤ挿通ポートとの間に、斜めに延在する塑性変形容易な第２変形容易領域部が画成されている、
ことを特徴とするコンプレッション・コネクタ。
【請求項１２】
前記第１ボディ部と前記第２ボディ部とが、中央ボディ部によって接続されていることを特徴とする請求項１１記載のコンプレッション・コネクタ。
【請求項１３】
更に、該コンプレッション・コネクタの第１側において前記第１ボディ部と前記第２ボディ部との間を延在するように形成された第１スロットと、該コンプレッション・コネクタの第２側において前記第１ボディ部と前記第２ボディ部との間を延在するように形成された第２スロットとを備え、前記第１スロット及び前記第２スロットはカシメ作業の実行に先立ってワイヤを該コンプレッション・コネクタに締結して止着保持するケーブルタイを挿通するためのスロットであることを特徴とする請求項１２記載のコンプレッション・コネクタ。
【請求項１４】
前記第１側部タップ・ワイヤ挿通ポートが前記第１フック部と前記第２斜面画成突部との間に形成され、前記第２側部タップ・ワイヤ挿通ポートが前記第１斜面画成突部と前記第２フック部との間に形成されていることを特徴とする請求項１１記載のコンプレッション・コネクタ。
【請求項１５】
前記第１側部タップ・ワイヤ挿通ポートと前記第２側部タップ・ワイヤ挿通ポートとが略々同じ大きさに形成されていることを特徴とする請求項１１記載のコンプレッション・コネクタ。
【請求項１６】
前記第３側部タップ・ワイヤ挿通ポートが前記第３フック部と前記第４斜面画成突部との間に形成され、前記第４側部タップ・ワイヤ挿通ポートが前記第３斜面画成突部と前記第４フック部との間に形成されていることを特徴とする請求項１１記載のコンプレッション・コネクタ。
【請求項１７】
前記第３側部タップ・ワイヤ挿通ポートと前記第４側部タップ・ワイヤ挿通ポートとが略々同じ大きさに形成されていることを特徴とする請求項１１記載のコンプレッション・コネクタ。
【発明の詳細な説明】
【技術分野】
【０００１】
本発明は、マルチ・タップ・コンプレッション・コネクタに関し、より詳しくは、様々な太さのタップ・ワイヤに対応可能な二分割形マルチ・タップ・コンプレッション・コネクタに関する。
【背景技術】
【０００２】
マルチ・タップ・コンプレッション・コネクタの具体例を記載した特許文献としては、例えば、米国特許第3,009,987号公報、同第5,103,068号公報、同第5,200,576号公報、同
第6,452,103号公報、同第6,486,403号公報、同第6,525,270号公報、同第6,538,204号公報、同第6,552,271号公報などがある。
【特許文献１】米国特許第3,009,987号公報
【特許文献２】米国特許第5,103,068号公報
【特許文献３】米国特許第5,200,576号公報
【特許文献４】米国特許第6,452,103号公報
【特許文献５】米国特許第6,486,403号公報
【特許文献６】米国特許第6,525,270号公報
【特許文献７】米国特許第6,538,204号公報
【特許文献８】米国特許第6,552,271号公報
【発明の開示】
【発明が解決しようとする課題】
【０００３】
しかしながら、以上に列挙した米国特許公報に記載されている従来のコンプレッション・コネクタのうちには、第１タップ・ワイヤ挿通ポートと第２タップ・ワイヤ挿通ポートとの間に塑性変形容易な第１リンク部が画成され、第３タップ・ワイヤ挿通ポートと第４タップ・ワイヤ挿通ポートとの間に塑性変形容易な第２タップ・ワイヤ挿通ポートが画成されているものは皆無である。また、それら従来のコンプレッション・コネクタのうちには、第１側部タップ・ワイヤ挿通ポートと第２側部タップ・ワイヤ挿通ポートとの間に、斜めに延在する塑性変形容易な第１変形容易領域部が画成され、第３側部タップ・ワイヤ挿通ポートと第４側部タップ・ワイヤ挿通ポートとの間に、斜めに延在する塑性変形容易な第２変形容易領域部が画成されているものも皆無である。
【０００４】
ワイヤ引抜抵抗力を強化したマルチ・タップ・コンプレッション・コネクタを提供することが望まれている。
また、カシメ作業の実行前及び実行中におけるタップ・ワイヤの固定保持力を強化したマルチ・タップ・コンプレッション・コネクタを提供することが望まれている。
【０００５】
また、コンプレッション・コネクタの全体としての圧縮性を向上させる塑性変形容易なリンク部を備えたマルチ・タップ・コンプレッション・コネクタを提供することが望まれている。
【０００６】
また、同一水平面上に位置していない２つの側部タップ・ワイヤ挿通ポートを形成することによってタップ・ワイヤの固定保持力を強化したマルチ・タップ・コンプレッション・コネクタを提供することが望まれている。
【課題を解決するための手段】
【０００７】
ここに開示するのは、以下のごとき、ワイヤを固定するコンプレッション・コネクタである。このコンプレッション・コネクタは、互いに接続された第１セクションと第２セク
ションとを備えている。前記第１セクション及び前記第２セクションは、その各々が、ボディ部と端壁部とを有する。前記ボディ部からフック部と斜面画成突部とが延出してメイン・ワイヤ挿通ポートを画成している。前記ボディ部は前記端壁部に隣接した第１タップ・ワイヤ挿通ポートと第２タップ・ワイヤ挿通ポートとを備えている。前記第１タップ・ワイヤ挿通ポートと前記第２タップ・ワイヤ挿通ポートとの間に、斜めに延在する塑性変形容易なリンク部が画成されている。
【０００８】
このコンプレッション・コネクタは、該コンプレッション・コネクタの第１側において前記第１セクションと前記第２セクションとの間を延在するように形成された一対の第１スロットと、該コンプレッション・コネクタの第２側において前記第１セクションと前記第２セクションとの間を延在するように形成された一対の第２スロットとを備えたものとすることが好ましい。前記一対の第１スロット及び前記一対の第２スロットは、カシメ作業の実行に先立ってワイヤを該コンプレッション・コネクタに締結して止着保持するケーブルタイを挿通するためのものである。
【０００９】
前記第１タップ・ワイヤ挿通ポート、前記第２タップ・ワイヤ挿通ポート、前記第３タップ・ワイヤ挿通ポート、及び前記第４タップ・ワイヤ挿通ポートは、その各々の形状を涙滴形とし、それらを略々同じ大きさに形成することが好ましい。別の構成例として、前記第１タップ・ワイヤ挿通ポートを前記第２タップ・ワイヤ挿通ポートより大きく形成し、前記第３タップ・ワイヤ挿通ポートを前記第４タップ・ワイヤ挿通ポートより大きく形成するようにしてもよい。
【００１０】
このコンプレッション・コネクタは、第１保持突片部、第２保持突片部、第３保持突片部、及び第４保持突片部を備えたものとすることが好ましい。それら保持突片部は、夫々のタップ・ワイヤ挿通ポート内にタップ・ワイヤを保持するものである。
【００１１】
また、別の好適実施例としてここに開示するのは、以下のごとき、ワイヤを固定するコンプレッション・コネクタである。このコンプレッション・コネクタは、互いに接続された第１ボディ部と第２ボディ部とを備えている。前記第１ボディ部及び前記第２ボディ部の各々から、フック部と斜面画成突部とが延出して第１メイン・ワイヤ挿通ポートを画成し、また、フック部と斜面画成突部とが延出して第２メイン・ワイヤ挿通ポートを画成している。前記第１ボディ部及び前記第２ボディ部の各々は、２つの側部タップ・ワイヤ挿通ポートを備えており、それら２つの側部タップ・ワイヤ挿通ポートの間に、斜めに延在する塑性変形容易な領域部が画成されている。
【００１２】
このコンプレッション・コネクタは、該コンプレッション・コネクタの第１側において前記第１ボディ部と前記第２ボディ部との間を延在するように形成された一対の第１スロットと、該コンプレッション・コネクタの第２側において前記第１ボディ部と前記第２ボディ部との間を延在するように形成された一対の第２スロットとを備えたものとすることが好ましい。前記一対の第１スロット及び前記一対の第２スロットは、カシメ作業の実行に先立ってワイヤを該コンプレッション・コネクタに締結して止着保持するケーブルタイを挿通するためのものである。
【００１３】
前記側部タップ・ワイヤ挿通ポートの各々を、フック部と斜面画成突部との間に形成することが好ましい。また、前記側部タップ・ワイヤ挿通ポートの各々を、略々同じ大きさに形成することが好ましい。別の構成例として、前記側部タップ・ワイヤ挿通ポートの各々を、互いに異なった大きさに形成するようにしてもよい。
【発明を実施するための最良の形態】
【００１４】
図面に示した本発明の夫々の実施例に係る二分割形マルチ・タップ・コンプレッション
・コネクタは、少なくとも１本のメイン・ワイヤと、少なくとも２本のタップ・ワイヤを固定することができるように構成されている。図１〜図６はコンプレッション・コネクタ２０を示した図であり、図７〜図１２はコンプレッション・コネクタ１２０を示した図であり、図１３〜図１９はコンプレッション・コネクタ２２０を示した図である。
【００１５】
図１に示した二分割形マルチ・タップ・コンプレッション・コネクタ２０は、カシメ作業が完了して、メイン・ワイヤ２２及びタップ・ワイヤ２４、２６に対して固定された状態を示したものである。このコンプレッション・コネクタ２０は、例えば銅などの導電性材料で製作したワンピース部品とすることが好ましい。ただし、このコンプレッション・コネクタ２０は、カシメることができさえすれば、その他の適当な材料で製作することも可能であり、適当な複数の部材を接合した構造とすることも可能である。
【００１６】
図２及び図４に示したように、コンプレッション・コネクタ２０は第１セクション２８と第２セクション３０とを備えている。図３から明らかなように、第１セクション２８は第１ボディ部３２を備えている。この第１ボディ部３２からフック部３４と斜面画成突部３６とが延出して、メイン・ワイヤ２２を挿通して装填することのできるメイン・ワイヤ挿通ポート３８を画成している。フック部３４の形状はＣ字形とすることが好ましい。第１セクション２８は更に、第１ボディ部３２に接続した第１端壁部４０を備えている。この第１端壁部４０に隣接して２つのタップ・ワイヤ挿通ポート４２、４４が形成されており、また、第１ボディ部３２から２つの保持突片部４６、４８が斜めに延出している。保持突片部４６と斜面画成突部３６との間には溝部５０が形成されており、保持突片部４８とフック部３４との間には溝部５２が形成されている。第１ボディ部３２と第１端壁部４０とは塑性変形容易なリンク部５３によって接続されており、このリンク部５３は、２つのタップ・ワイヤ挿通ポート４２と４４との間に画成されている。
【００１７】
保持突片部４６、４８を備えたことによって、コンプレッション・コネクタ２０の全体としての圧縮性が向上しており、なぜならば、それらを備えたことによってタップ・ワイヤ挿通ポート４２、４４が様々なサイズのタップ・ワイヤ２４、２６に対応できるようになっているからである。図６に示したように、タップ・ワイヤ挿通ポート４２、４４は、太いタップ・ワイヤ２４と細いタップ・ワイヤ２６とに対応できるようにしてある。保持突片部４６を備えたことによって、第１端壁部４０と第１ボディ部３２との間の隙間が小さくなっており、これによって、カシメ作業の実行前及び実行中におけるタップ・ワイヤ挿通ポート４２内でのタップ・ワイヤ２４の位置決め精度及び固定保持力が強化されている。同様に、保持突片部４８を備えたことによって、第１端壁部４０と第１ボディ部３２との間の隙間が小さくなっており、これによって、カシメ作業の実行前及び実行中におけるタップ・ワイヤ挿通ポート４４内でのタップ・ワイヤ２６の位置決め精度及び固定保持力が強化されている。尚、タップ・ワイヤ挿通ポート４２、４４の形状は涙滴形とすることが好ましい。図３から明らかなように、タップ・ワイヤ挿通ポート４２はタップ・ワイヤ挿通ポート４４より大きく形成されている。ただし、図８に示したように、２つのタップ・ワイヤ挿通ポート４２、４４を略々同じ大きさに形成してもよい。
【００１８】
第２セクション３０も、第１セクション２８と同一構成である。図５から明らかなように、第２セクション３０は第２ボディ部５４を備えている。この第２ボディ部５４からフック部５６と斜面画成突部５８とが延出して、メイン・ワイヤ２２を挿通して装填することのできるメイン・ワイヤ挿通ポート６０を画成している。フック部５６の形状はＣ字形とすることが好ましい。第２セクション３０は更に、第２ボディ部５４に接続した第２端壁部６２を備えている。この第２端壁部６２に隣接して２つのタップ・ワイヤ挿通ポート６４、６６が形成されており、また、第２ボディ部５４から２つの保持突片部６８、７０が斜めに延出している。保持突片部６８と斜面画成突部５８との間には溝部７２が形成されており、保持突片部７０とフック部５６との間には溝部７４が形成されている。第２ボ
ディ部５４と第２端壁部６２とは塑性変形容易なリンク部７５によって接続されており、このリンク部７５は、２つのタップ・ワイヤ挿通ポート６４と６６との間に画成されている。更に、図１、図２、及び図４に示したように、第１ボディ部３２と第２ボディ部５４とは、中央ボディ部７６によって接続されている。
【００１９】
図４から明らかなように、コンプレッション・コネクタ２０は、２本のスロット７８、８０を備えており、それらスロットは、コンプレッション・コネクタ２０に切り込む形で形成されている。それらスロット７８、８０は、カシメ作業の実行に先立ってメイン・ワイヤ２２及びタップ・ワイヤ２４、２６をコンプレッション・コネクタ２０に締結して止着保持するためのケーブルタイ（不図示）を巻装する際に、そのケーブルタイを挿通する空間を提供している。これに関しては、本願の対応米国出願の同時係属出願である、米国特許出願第号（出願代理人の整理番号：LCB394）に開示されており、同米国特許出願の開示内容はこの言及をもってその全体が本願開示に組み込まれたものとする。このように図１〜図６に示したコンプレッション・コネクタ２０は、スロット７８、８０を備えているのであるが、ただし、このコンプレッション・コネクタ２０に変更を加えて、そのようなスロットを備えていない実施の形態とすることも可能である。
【００２０】
図７〜図１２に、本発明の第２実施例を示した。図７に示したように、この実施例に係る二分割形マルチ・タップ・コンプレッション・コネクタ１２０は、図１〜図６に示したコンプレッション・コネクタ２０と略々同一構造であって、両者間の相違点は、コンプレッション・コネクタ１２０では、２つのタップ・ワイヤ挿通ポートが略々同じ大きさに形成されているということであり、その他の点では大きな差違はない。そして、相違点はあるものの、機能に関しては、このコンプレッション・コネクタ１２０も、図１〜図６に示したコンプレッション・コネクタ２０と基本的に変わるところはない。
【００２１】
使用法について説明すると、コンプレッション・コネクタ２０はＣ字形であるため、その装着作業に際して、コンプレッション・コネクタ２０を手で支えながら作業を行う必要が殆どなく、なぜならば、フック部３４、５６をメイン・ワイヤ２２に引掛けた状態で、タップ・ワイヤ２４をタップ・ワイヤ挿通ポート４２、６４に挿通し、また、タップ・ワイヤ２６をタップ・ワイヤ挿通ポート４４、６６に挿通することができるからである。コンプレッション・コネクタ２０を使用する際には、メイン・ワイヤ挿通ポート３８と、２つのタップ・ワイヤ挿通ポート４２、４４の少なくとも一方とに、必ずワイヤを挿通しなければならない。残りの１つのタップ・ワイヤ挿通ポート４２または４４だけは、ワイヤを挿通してもよく、挿通せずに空のままにしておいてもよい。同様に、メイン・ワイヤ挿通ポート６０と、２つのタップ・ワイヤ挿通ポート６４、６６の少なくとも一方とに、必ずワイヤを挿通しなければならない。残りの１つのタップ・ワイヤ挿通ポート４２または４４だけは、ワイヤを挿通してもよく、挿通せずに空のままにしておいてもよい。尚、このコンプレッション・コネクタ２０は、一度のカシメ操作で、第１セクション２８と第２セクション３０との両方をカシメることができる。
【００２２】
コンプレッション・コネクタ２０のカシメ作業を実行する際には、例えば、Panduit社
のCT-2940型クリンプ・ツールなどのカシメ工具（不図示）に、例えばPanduit社のCD-940H-250型クリンプ・ダイなどの一対のクリンプ・ダイ（不図示）を装着したものを使用す
ればよい。フック部３４、５６の外周側半径、それに、第１端壁部４０及び第２端壁部４２の外周側半径は、クリンプ・ダイの内面半径より小さくしてあり、そのため、クリンプ・ダイとは２箇所の接触点で接触する。そして、カシメ作業を実行することによって、図６及び図１０〜図１２から明らかなように、フック部３４、５６が丸まってワイヤ２２を包持するようになり、これによって電気的性能及び機械的性能に優れた連結状態が得られる。
【００２３】
図１３〜図１９に、本発明の第３実施例を示した。図１３に示した二分割形マルチ・タップ・コンプレッション・コネクタ２２０は、カシメ作業が完了して、２本のメイン・ワイヤ２２２、２２４と２本のタップ・ワイヤ２２６、２２８とに対して固定された状態を示したものである。このコンプレッション・コネクタ２２０は、例えば銅などの導電性材料で製作したワンピース部品とすることが好ましい。ただし、このコンプレッション・コネクタ２２０は、カシメることができさえすれば、その他の適当な材料で製作することも可能であり、適当な複数の部材を接合した構造とすることも可能である。
【００２４】
図１４に示したように、コンプレッション・コネクタ２２０は第１セクション２３０と第２セクション２３２とを備えている。第１セクション２３０は第１ボディ部２３４を備えている。この第１ボディ部２３４からフック部２３６、２３８と斜面画成突部２４０、２４２とが延出して、図１８に示したように、メイン・ワイヤ２２２、２２４を挿通して装填することのできるメイン・ワイヤ挿通ポート２４４、２４６を画成している。フック部２３６、２３８の形状はＣ字形とすることが好ましい。図１８から明らかなように、コンプレッション・コネクタ２２０はＳ字形であるため、その装着作業に際して、コンプレッション・コネクタ２２０を手で支えながら作業を行う必要が殆どなく、なぜならば、フック部２３６、２３８をメイン・ワイヤ２２２、２２４に引掛けた状態で、タップ・ワイヤ２２６、２２８を側部タップ・ワイヤ挿通ポート２４８、２５０に挿通することができるからである。図１７〜図１９に示したように、側部タップ・ワイヤ挿通ポート２４８と２５０とは同一水平面上にあるのではなく、高さが段違いとなっているため、それら挿通ポート２４８、２５０の間には、斜めに延在する柱状の塑性変形容易な領域部が画成されている。フック部２３６、２３８の外周側半径は、クリンプ・ダイ（不図示）の内面半径より小さくしてあり、そのため、クリンプ・ダイとは２箇所の接触点２５２、２５４で接触する。そして、カシメ作業を実行することによって、図１９から明らかなように、フック部２３６、２３８が丸まってメイン・ワイヤ２２２、２２４を包持すると共に、更にその外側を斜面画成突部２４０、２４２が覆うようになる。また、図１９に示したように、上述した斜めに延在する柱状の領域部が塑性変形容易であることから、側部タップ・ワイヤ挿通ポート２４８、２５０が潰れるように変形し、それによって、それら挿通ポート２４８、２５０内にタップ・ワイヤ２２６、２２８が固定保持される。
【００２５】
第２セクション２３２も、第１セクション２３０と同一構成である。第２セクション２３２は第２ボディ部２５６を備えている。この第２ボディ部２５６からフック部２５８、２６０と斜面画成突部２６２、２６４とが延出して、メイン・ワイヤ２２２、２２４を挿通して装填することのできるメイン・ワイヤ挿通ポート２６６、２６８を画成している。フック部２５８、２６０の形状はＣ字形とすることが好ましい。コンプレッション・コネクタ２２０はＳ字形であるため、その装着作業に際して、コンプレッション・コネクタ２２０を手で支えながら作業を行う必要が殆どなく、なぜならば、フック部２５８、２６０をメイン・ワイヤ２２２、２２４に引掛けた状態で、タップ・ワイヤ２２６、２２８を側部タップ・ワイヤ挿通ポート２７０、２７２に挿通することができるからである。フック部２５８、２６０の外周側半径は、クリンプ・ダイの内面半径より小さくしてあり、そのため、クリンプ・ダイとは２箇所の接触点２７４、２７６で接触する。更に、図１４及び図１６に示したように、第１ボディ部２３４と第２ボディ部２５６とは、中央ボディ部２７８によって接続されている。
【００２６】
以上に開示した本発明の実施例によって提供される二分割形マルチ・タップ・コンプレッション・コネクタによれば、カシメ作業の実行前及び実行中におけるタップ・ワイヤの固定保持力が強化されている。尚、以上に説明し図面に示した好適実施例を含む本発明の様々な実施例は、本発明に係るコンプレッション・コネクタが取り得る全ての実施の形態を網羅したものではない。むしろ、それら実施例は、現時点で認識されている限りの本発明の様々な実施の形態のうちの幾つかの具体例を提示したものにすぎない。例えば、３つ
以上のタップ・ワイヤ挿通ポートを形成したコンプレッション・コネクタも本発明の範囲に含まれるものである。従って、本発明の実施の形態は、数多く存在するものと考えられる。
【図面の簡単な説明】
【００２７】
【図１】１本の太いタップ・ワイヤと１本の細いタップ・ワイヤとを固定するカシメ作業が完了して、メイン・ワイヤに固定された状態にある、本発明の第１実施例に係るコンプレッション・コネクタの正面斜視図である。
【図２】図１のコンプレッション・コネクタの正面斜視図である。
【図３】図１のコンプレッション・コネクタの正面図である。
【図４】図１のコンプレッション・コネクタの左側面図である
【図５】図４の５−５線に沿った断面図である。
【図６】１本の太いタップ・ワイヤと１本の細いタップ・ワイヤとを固定するカシメ作業が完了した状態にある、図１のコンプレッション・コネクタの正面図である。
【図７】本発明の第２実施例に係るコンプレッション・コネクタの正面斜視図である。
【図８】図７のコンプレッション・コネクタの正面図である。
【図９】図７のコンプレッション・コネクタの左側面図である。
【図１０】２本の太いタップ・ワイヤを固定するカシメ作業が完了した状態にある、図７のコンプレッション・コネクタの正面図である。
【図１１】２本の細いタップ・ワイヤを固定するカシメ作業が完了した状態にある、図７のコンプレッション・コネクタの正面図である。
【図１２】２本の中程度の太さのタップ・ワイヤを固定するカシメ作業が完了した状態にある、図７のコンプレッション・コネクタの正面図である。
【図１３】２本のタップ・ワイヤをカシメ作業した後に２本のメイン・ワイヤの囲りに固着された状態を示す、本発明の第３実施例に係るコンプレッション・コネクタの斜視図である。
【図１４】図１３のコンプレッション・コネクタの斜視図である。
【図１５】図１３のコンプレッション・コネクタの正面図である。
【図１６】図１３のコンプレッション・コネクタの右側面図である
【図１７】図１６の１７−１７線に沿った断面図である。
【図１８】カシメ作業前の状態にある図１３のコンプレッション・コネクタの正面図である。
【図１９】カシメ作業後の図１３のコンプレッション・コネクタの正面図である。
【図１】
2010062154.tif 000003
【図２】
2010062154.tif 000004
【図３】
2010062154.tif 000005
【図４】
2010062154.tif 000006
【図５】
2010062154.tif 000007
【図６】
2010062154.tif 000008
【図７】
2010062154.tif 000009
【図８】
2010062154.tif 000010
【図９】
2010062154.tif 000011
【図１０】
2010062154.tif 000012
【図１１】
2010062154.tif 000013
【図１２】
2010062154.tif 000014
【図１３】
2010062154.tif 000015
【図１４】
2010062154.tif 000016
【図１５】
2010062154.tif 000017
【図１６】
2010062154.tif 000018
【図１７】
2010062154.tif 000019
【図１８】
2010062154.tif 000020
【図１９】
2010062154.tif 000021
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
ワイヤを固定するコンプレッション・コネクタにおいて、
第１ボディ部と第２ボディ部とを備え、
前記第１ボディ部から第１フック部と第１斜面画成突部とが延出して第１メイン・ワイヤ挿通ポートを画成し、第２フック部と第２斜面画成突部とが延出して第２メイン・ワイヤ挿通ポートを画成しており、前記第１ボディ部は、互いに反対側に位置する第１側部タップ・ワイヤ挿通ポートと第２側部タップ・ワイヤ挿通ポートとを備えており、前記第１側部タップ・ワイヤ挿通ポートと前記第２側部タップ・ワイヤ挿通ポートとの間に、斜めに延在する塑性変形容易な第１変形容易領域部が画成されており、
前記第２ボディ部から第３フック部と第３斜面画成突部とが延出して第３メイン・ワイヤ挿通ポートを画成し、第４フック部と第４斜面画成突部とが延出して第４メイン・ワイヤ挿通ポートを画成しており、前記第２ボディ部は、互いに反対側に位置する第３側部タップ・ワイヤ挿通ポートと第４側部タップ・ワイヤ挿通ポートとを備えており、前記第３側部タップ・ワイヤ挿通ポートと前記第４側部タップ・ワイヤ挿通ポートとの間に、斜めに延在する塑性変形容易な第２変形容易領域部が画成されている、
ことを特徴とするコンプレッション・コネクタ。
【請求項２】
前記第１ボディ部と前記第２ボディ部とが、中央ボディ部によって接続されていることを特徴とする請求項１記載のコンプレッション・コネクタ。
【請求項３】
更に、該コンプレッション・コネクタの第１側において前記第１ボディ部と前記第２ボディ部との間を延在するように形成された第１スロットと、該コンプレッション・コネクタの第２側において前記第１ボディ部と前記第２ボディ部との間を延在するように形成された第２スロットとを備え、前記第１スロット及び前記第２スロットはカシメ作業の実行に先立ってワイヤを該コンプレッション・コネクタに締結して止着保持するケーブルタイを挿通するためのスロットであることを特徴とする請求項１記載のコンプレッション・コネクタ。
【請求項４】
前記第１側部タップ・ワイヤ挿通ポートが前記第１フック部と前記第２斜面画成突部との間に形成され、前記第２側部タップ・ワイヤ挿通ポートが前記第１斜面画成突部と前記第２フック部との間に形成されていることを特徴とする請求項１記載のコンプレッション・コネクタ。
【請求項５】
前記第１側部タップ・ワイヤ挿通ポートと前記第２側部タップ・ワイヤ挿通ポートとが略々同じ大きさに形成されていることを特徴とする請求項１記載のコンプレッション・コネクタ。
【請求項６】
前記第３側部タップ・ワイヤ挿通ポートが前記第３フック部と前記第４斜面画成突部との間に形成され、前記第４側部タップ・ワイヤ挿通ポートが前記第３斜面画成突部と前記第４フック部との間に形成されていることを特徴とする請求項１記載のコンプレッション・コネクタ。
【請求項７】
前記第３側部タップ・ワイヤ挿通ポートと前記第４側部タップ・ワイヤ挿通ポートとが略々同じ大きさに形成されていることを特徴とする請求項１記載のコンプレッション・コネクタ。
【外国語明細書】
2010062154000001.pdf